(57)【特許請求の範囲】
【請求項１】
ｗｅｂピクチャについてのコメント追加方法であって、
情報取得モジュールが、ピクチャコメントの内容とピクチャコメントの位置情報を取得し、前記ピクチャコメントの位置とピクチャ内の固定基準点との間の相対座標を計算するステップと、
コメント追加実現モジュールが、前記相対座標、コメント内容及びピクチャＩＤが含まれるコメントパラメータをｗｅｂサーバにアップロードし、前記コメントパラメータを用いてコメント情報層を形成し、コメント情報層をピクチャ層に置くステップと
を含むことを特徴とするコメント追加方法。
【請求項２】
前記情報取得モジュールが、ピクチャコメントの位置とピクチャ内の固定基準点との間の相対座標を計算する前記ステップは、
前記情報取得モジュールが、前記固定基準点の絶対座標を計算し、前記ピクチャコメントの位置の絶対座標と固定基準点の絶対座標との間の差を計算し、前記ピクチャコメントの位置と固定基準点の間の相対座標を得る
ことを特徴とする請求項１に記載の方法。
【請求項３】
前記固定基準点は、前記ピクチャの左上隅の頂点であり、前記固定基準点の絶対座標は、子オブジェクトとしての当該ピクチャから最外層の親オブジェクトまでの各層の相対座標の和である
ことを特徴とする請求項２に記載の方法。
【請求項４】
前記ピクチャがズームされたピクチャである場合、前記情報取得モジュールが、ｗｅｂサーバにアップロードされた相対座標をピクチャのズーム割合によって１：１に復元するステップをさらに含む
ことを特徴とする請求項１〜３のいずれか一項に記載の方法。
【請求項５】
ｗｅｂピクチャについてのコメント表示方法であって、
コメントパラメータ取得モジュールが、ｗｅｂサーバにピクチャコメントの表示要求を送信し、前記ｗｅｂサーバからフィードバックされた、相対座標とコメント内容が含まれるコメントパラメータを受信するステップと、
コメント表示実現モジュールが、ｗｅｂページ内でのピクチャコメントの位置の絶対座標を計算し、当該ピクチャコメントの位置の絶対座標とコメントパラメータに基づいてコメント情報層を形成し、コメント情報層をｗｅｂページ内のピクチャ層に置いて、コメントの表示を実現することを含む
ことを特徴とするコメント表示方法。
【請求項６】
前記コメント表示実現モジュールが、ｗｅｂページ内でのピクチャコメントの位置の絶対座標を計算する前記ステップは、
前記コメント表示実現モジュールが、前記相対座標の固定基準点のｗｅｂページでの絶対座標を計算し、当該絶対座標と相対座標を加算してｗｅｂページ内でのピクチャコメントの位置の絶対座標を得ることを含む
ことを特徴とする請求項５に記載の方法。
【請求項７】
前記相対座標の固定基準点は、前記ピクチャの左上隅の頂点であり、前記固定基準点の絶対座標は、子オブジェクトとしての当該ピクチャから最外層の親オブジェクトまでの各層の相対座標の和である
ことを特徴とする請求項６に記載の方法。
【請求項８】
前記ピクチャがズームされたピクチャである場合、前記コメントパラメータ取得モジュールが、前記相対座標を受信した後、前記相対座標をピクチャのズーム割合によってズーム処理するステップを更に含み、
前記コメントパラメータ取得モジュールが、ｗｅｂサーバにピクチャコメントの表示要求を送信するトリガ条件は、ｗｅｂページに入るときにブラウザが能動的にトリガすることまたはｗｅｂページに入った後にユーザによりトリガされることであり、
前記コメント表示実現モジュールが、前記コメント情報を表示する方式は、コメントの時間順序で表示する方式、設定されたコメント情報の数で表示する方式及び優先順位で表示する方式のうちの１つを含む
ことを特徴とする請求項５〜７のいずれか一項に記載の方法。
【請求項９】
コンピュータを、コメント追加モジュール及びコメント表示モジュールとして機能させるためのブラウザプログラムであって、
前記コメント追加モジュールは、
ピクチャコメントの内容とピクチャコメントの位置情報を取得し、前記ピクチャコメントの位置とピクチャ内の固定基準点との間の相対座標を計算するように構成される情報取得モジュールと、
前記相対座標、コメント内容及びピクチャＩＤが含まれるコメントパラメータをｗｅｂサーバにアップロードし、前記コメントパラメータを用いてコメント情報層を形成し、コメント情報層をピクチャ層に置くように構成されるコメント追加実現モジュールとを含み、
前記コメント表示モジュールは、
ｗｅｂサーバにピクチャコメントの表示要求を送信し、前記ｗｅｂサーバからフィードバックされた、相対座標とコメント内容が含まれるコメントパラメータを受信するように構成されるコメントパラメータ取得モジュールと、
ｗｅｂページ内でのピクチャコメントの位置の絶対座標を計算し、前記ピクチャコメントの位置の絶対座標とコメントパラメータに基づいてコメント情報層を形成し、コメント情報層をｗｅｂページ内のピクチャ層に置いてコメントの表示を実現するように構成されるコメント表示実現モジュールと
を含むことを特徴とするブラウザプログラム。
【請求項１０】
前記ピクチャがズームされたピクチャである場合、前記情報取得モジュールは、ｗｅｂサーバにアップロードされた相対座標をピクチャのズーム割合によって１：１に復元し、
前記ピクチャがズームされたピクチャである場合、前記コメントパラメータ取得モジュールは、前記相対座標を受信した後、前記相対座標をピクチャのズーム割合によってズーム処理する
ことを特徴する請求項９に記載のブラウザプログラム。
【請求項１１】
前記コメントパラメータ取得モジュールがｗｅｂサーバにピクチャコメントの表示要求を送信するトリガ条件は、ｗｅｂページに入るときにブラウザが能動的にトリガすることまたはｗｅｂページに入った後にユーザによりトリガされることを含み、
前記コメント表示実現モジュールがコメント情報を表示する方式は、コメントの時間順序で表示する方式、設定されたコメント情報の数で表示する方式及び優先順位で表示する方式のうちの１つを含む
ことを特徴する請求項９に記載のブラウザプログラム。
【発明の詳細な説明】
【技術分野】
【０００１】
本発明は、インターネット技術分野に関し、特に、ブラウザ及びそのｗｅｂピクチャについてのコメントの追加、表示を実現する方法に関する。
【背景技術】
【０００２】
ウェブサイト上のピクチャコメントの一般的な実現方法は、通常のコメントと同じように、ピクチャの下にコメント内容を一つずつ表示するという方法である。しかし、ピクチャ上のある局部に対してコメントしたい場合、文字説明でその局部の位置を特定するようなことしかできず、このような方式は、写実的でも直感的でもないため、コメントの効果は、大幅に削減されている。
【発明の概要】
【発明が解決しようとする課題】
【０００３】
これに鑑み、本発明における実施形態は、ピクチャ上にコメントを位置させることができないといった従来技術における問題を解決するための、ブラウザ及びそのｗｅｂピクチャについてのコメントの追加、表示を実現する方法を提供することにある。
【課題を解決するための手段】
【０００４】
具体的に、本発明における実施形態に係るｗｅｂピクチャについてのコメント追加方法は、
ピクチャコメントの内容とピクチャコメントの位置情報を取得し、前記ピクチャコメントの位置とピクチャ内の固定基準点との間の相対座標を計算するステップと、
前記相対座標、コメント内容及びピクチャＩＤが含まれるコメントパラメータをｗｅｂサーバにアップロードし、前記コメントパラメータを用いてコメント情報層を形成し、コメント情報層をピクチャ層に置くステップとを含む。
【０００５】
前記方法において、ピクチャコメントの位置とピクチャ内の固定基準点との間の相対座標を計算することは、
前記固定基準点の絶対座標を計算し、前記ピクチャコメントの位置の絶対座標と固定基準点の絶対座標との間の差を計算し、前記ピクチャコメントの位置と固定基準点の間の相対座標を得ることである。
【０００６】
ここで、前記固定基準点は、前記ピクチャの左上隅の頂点であり、前記固定基準点の絶対座標は、子オブジェクトとしての当該ピクチャから最外層の親オブジェクトまでの各層の相対座標の和である。
【０００７】
前記方法において、当該方法は、更に、前記ピクチャがズームされたピクチャである場合、ｗｅｂサーバにアップロードされた相対座標をピクチャのズーム割合によって１：１に復元するステップを含む。
【０００８】
本発明における実施形態に係るｗｅｂピクチャについてのコメント表示方法は、
ｗｅｂサーバにピクチャコメントの表示要求を送信し、前記ｗｅｂサーバからフィードバックされた、相対座標とコメント内容が含まれるコメントパラメータを受信するステップと、
ｗｅｂページ内でのピクチャコメントの位置の絶対座標を計算し、当該ピクチャコメントの位置の絶対座標とコメントパラメータに基づいてコメント情報層を形成し、コメント情報層をｗｅｂページ内のピクチャ層に置いて、コメントの表示を実現するステップとを含む。
【０００９】
前記方法において、ｗｅｂページ内でのピクチャコメントの位置の絶対座標を計算することは、
ｗｅｂページでの前記相対座標の固定基準点の絶対座標を計算し、当該絶対座標と相対座標を加算してｗｅｂページ内でのピクチャコメントの位置の絶対座標を得ることである。
【００１０】
ここで、相対座標の固定基準点は、前記ピクチャの左上隅の頂点であり、前記固定基準点の絶対座標は、子オブジェクトとしての当該ピクチャから最外層の親オブジェクトまでの各層の相対座標の和である。
【００１１】
本発明における実施形態の前記方法は、更に、下記の特徴を持っている。
当該方法は、更に、前記ピクチャがズームされたピクチャである場合、前記相対座標を受信した後、前記相対座標をピクチャのズーム割合によってズーム処理するステップを含む。
ｗｅｂサーバにピクチャコメントの表示要求を送信するトリガ条件は、ｗｅｂページに入るときにブラウザが能動的にトリガすることまたはｗｅｂページに入った後にユーザによりトリガされることである。
前記コメント情報の表示方式は、コメントの時間順序で表示する方式、設定されたコメント情報の数で表示する方式及び優先順位で表示する方式のうちの１つを含む。
【００１２】
本発明における実施形態に係るブラウザは、コメント追加モジュールとコメント表示モジュールを備える。
前記コメント追加モジュールは、
ピクチャコメントの内容とピクチャコメントの位置情報を取得し、前記ピクチャコメントの位置とピクチャ内の固定基準点との間の相対座標を計算するように構成される情報取得モジュールと、
前記相対座標、コメント内容及びピクチャＩＤが含まれるコメントパラメータをｗｅｂサーバにアップロードし、前記コメントパラメータを用いてコメント情報層を形成し、コメント情報層をピクチャ層に置くように構成されるコメント追加実現モジュールとを含む。
前記コメント表示モジュールは、
ｗｅｂサーバにピクチャコメントの表示要求を送信し、前記ｗｅｂサーバからフィードバックされた、相対座標とコメント内容が含まれるコメントパラメータを受信するように構成されるコメントパラメータ取得モジュールと、
ｗｅｂページ内でのピクチャコメントの位置の絶対座標を計算し、前記ピクチャコメントの位置の絶対座標とコメントパラメータに基づいてコメント情報層を形成し、コメント情報層をｗｅｂページ内のピクチャ層に置いてコメントの表示を実現するように構成されるコメント表示実現モジュールとを含む。
【００１３】
本発明における実施形態に係る前記ブラウザは、更に、下記の特徴を持っている。
前記ピクチャがズームされたピクチャである場合、前記情報取得モジュールは、ｗｅｂサーバにアップロードされた相対座標をピクチャのズーム割合によって１：１に復元する。
前記ピクチャがズームされたピクチャである場合、前記コメントパラメータ取得モジュールは、前記相対座標を受信した後、前記相対座標をピクチャのズーム割合によってズーム処理する。
【００１４】
前記コメントパラメータ取得モジュールがｗｅｂサーバにピクチャコメントの表示要求を送信するトリガ条件は、ｗｅｂページに入るときにブラウザが能動的にトリガすることまたはｗｅｂページに入った後にユーザによりトリガされることを含む。
前記コメント表示実現モジュールがコメント情報を表示する方式は、コメントの時間順序で表示する方式、設定されたコメント情報の数で表示する方式及び優先順位で表示する方式のうちの１つを含む。
【００１５】
従来技術に比べて、本発明における実施形態は、以下の有益な効果を持っている。
本発明における実施形態に係るピクチャコメントの追加、表示方法により、ピクチャについてのコメントが実現され、また、ページの静止が維持される場合、ピクチャのある局部に対して「貼付」式のコメントを行うことができる。これは、写実的かつ臨場感に富み、興味深く、特に漫画製品に対するコメントによい効果がある。これにより、インターネット製品に対するユーザの献身性を向上させることができる。
【図面の簡単な説明】
【００１６】
【図１】本発明に係るｗｅｂピクチャについてのコメント追加方法のフローチャートである。
【図２】本発明に係るｗｅｂピクチャについてのコメント表示方法のフローチャートである。
【図３】本発明における実施形態に係るｗｅｂピクチャについてのコメント追加方法のフローチャートである。
【図４】本発明における実施形態に係るｗｅｂピクチャについてのコメント表示方法のフローチャートである。
【図５】本発明に係るブラウザの構成を示す図である。
【発明を実施するための形態】
【００１７】
本発明における実施形態または従来技術における技術的スキームをより明瞭に説明するために、図面の簡単な説明の欄において、実施形態または従来技術の説明のための図面を簡単に説明する。明らかなように、図面の簡単な説明の欄において説明される図面は、単に本発明のいくつかの実施形態に過ぎず、当業者であれば、創造的な労働を伴わずに、これらの図面によって他の図面を得ることができる。
【００１８】
以下、本発明における実施形態の図面を参照しながら、本発明における実施形態の技術的スキームを明瞭かつ完全に説明する。明らかなように、説明される実施形態は、実施形態の全てではなく、本発明の実施形態の一部に過ぎない。本発明における実施形態に基づいて、当業者が創造的な労働をしないという前提の下で得られる他の実施形態は、すべて本発明の保護範囲に属する。
【００１９】
ｗｅｂページ内のピクチャ上にコメントを位置させることができないという従来技術における問題を解決するために、本発明における実施形態は、ブラウザ及びそのｗｅｂピクチャについてのコメントの追加、表示を実現する方法を提供する。前記方法は、ピクチャのある局部に対して「貼付」式のコメントを行うため、ピクチャコメントは、臨場感に富みかつ直感的になり、かなり興味性があり、これにより、インターネット製品のユーザに対する魅力を強化する。
【００２０】
図１に示すように、本発明に係るｗｅｂピクチャについてのコメント追加方法は、下記のステップを含む。
【００２１】
ステップＳ１０１、ブラウザは、ピクチャコメントの内容とピクチャコメントの位置情報を取得し、前記ピクチャコメントの位置とピクチャ内の１つの固定基準点との間の相対座標を計算する。
【００２２】
当該ステップは、具体的には、固定基準点の絶対座標を計算し、ピクチャコメントの位置の絶対座標と固定基準点の絶対座標との間の差を計算し、ピクチャコメントの位置と固定基準点の間の相対座標を得る。
【００２３】
ここで、固定基準点は、好ましくピクチャの左上隅の頂点である。この場合、前記固定基準点の絶対座標は、子オブジェクトとしての当該ピクチャから最外層の親オブジェクトまでの各層の相対座標の和である。
【００２４】
ステップＳ１０２、ブラウザは、相対座標、コメント内容及びピクチャＩＤが含まれるコメントパラメータをｗｅｂサーバにアップロードし、コメントパラメータを用いてコメント情報層を形成した後、コメント情報層をピクチャ層に置く。
【００２５】
図２に示すように、本発明に係るｗｅｂピクチャについてのコメント表示方法は、下記のステップを含む。
【００２６】
ステップＳ２０１、ブラウザは、ｗｅｂサーバにピクチャコメントの表示要求を送信し、前記ｗｅｂサーバからフィードバックされた、相対座標とコメント内容が含まれるコメントパラメータを受信する。
【００２７】
ここで、ブラウザがｗｅｂサーバにピクチャコメントの表示要求を送信するトリガ条件は、ｗｅｂページに入るときにブラウザが能動的にトリガすることまたはｗｅｂページに入った後にユーザによりトリガされることを含む。
【００２８】
ステップＳ２０２、ブラウザは、ｗｅｂページ内でのピクチャコメントの位置の絶対座標を計算し、当該ピクチャコメントの位置の絶対座標とコメントパラメータに基づいてコメント情報層を形成した後、コメント情報層をｗｅｂページ内のピクチャ層に置いてコメントの表示を実現する。
【００２９】
ここで、コメント情報の表示方式は、コメントの時間順序で表示する方式、設定されたコメント情報の数で表示する方式及び優先順位で表示する方式のうちの１つを含む。
【００３０】
上記の方法により理解されるように、コメントをピクチャに「貼付」させ、且つそのまま再表示するためには、ピクチャの固定基準点（例えば、ピクチャの左上隅点）に対する、コメントの「貼付」位置の座標を取得することが最も重要である。このようにすることで、ピクチャ自体の座標が変わったときに、コメントの位置に影響を与えてしまうようなことがなくなる。相対座標を取得した後、ページ階層化技術を利用して、コメント層をピクチャ層に置くと、このような、ピクチャ上の任意の位置に位置されたコメントを実現できる。
【００３１】
コメント作成の際にコメントパラメータをｗｅｂサーバに伝送したので、ユーザがコメントを見たい場合、ユーザのブラウザは、ｗｅｂサーバにコメント情報の取得要求を送信し、コメントパラメータを取得する。そして、ブラウザは、更にｊａｖａｓｃｒｉｐｔによって情報を分析して、コメント内容を復元する。
【００３２】
上記のコメントの追加、表示方法においては、ユーザは、単に、ブラウザページの入力ボックス内にコメント内容を入力し、ピクチャコメントのボタンをクリックし、マウスをピクチャ上の任意の位置に移動して左ボタンをクリックし、その位置にコメントを貼り付けるだけで、ピクチャついてのコメントの追加が完了する。また、このユーザまたは他のユーザがピクチャコメントを有するｗｅｂページに入るとき、ブラウザは、自動的にコメント情報をダウンロードして表示する。または、ブラウザは、ユーザがピクチャコメントの表示ボタンをクリックしたときに、受動的にダウンロード及び表示の要求をトリガする。その後、ユーザ自身及び他人により行われたピクチャコメントは、一つずつ表示され、ピクチャの表示が完了される。
【００３３】
以下、本発明における前記方法の具体的な実現過程を十分に説明するために、図３〜図４に示す本発明のいくつかの最適な実施形態によって、実施形態に対する説明を参照しながら、さらに本発明の技術詳細を与える。
【００３４】
実施形態１
図３に示すように、本発明における実施形態に係るｗｅｂピクチャについてのコメント追加方法は、下記のステップを含む。
【００３５】
ステップＳ３０１、ユーザは、ブラウザのｗｅｂページ内にピクチャコメントの内容を入力する。
【００３６】
ステップＳ３０２、ユーザは、ピクチャ上の任意のポイントをピクチャコメントの位置として選定してマウスの左ボタンをクリックし、ページのｊａｖａｓｃｒｉｐｔイベントをトリガする。
【００３７】
ステップＳ３０３、ブラウザは、ページ内のマウスクリックイベントの絶対座標ＸとＹ（即ちピクチャコメントの位置の絶対座標）を取得する。
【００３８】
ここで、絶対座標値ＸとＹは、マウスイベントオブジェクトそのものが持っているものであるため、直接取り出せばよい。
【００３９】
ステップＳ３０４、ピクチャ内の１つのポイントをピクチャコメントの位置の固定基準点として選定し、そして当該固定基準点のページでの絶対座標を計算する。
【００４０】
一般的には、ピクチャ及びその親オブジェクト同士が絶対座標属性を持たないので、この場合、固定基準点は、好ましくはピクチャ左上隅の頂点である。当該ピクチャの左上隅の頂点の絶対座標は、子オブジェクトとしての当該ピクチャから最外層の親オブジェクトまでの各層の相対座標の和である。その計算プロセスとして、まずピクチャとその親オブジェクトとの間の相対座標を取り出し、次に、その相対座標に、親オブジェクトとその親の親オブジェクトとの間の相対座標を加算し、その相対座標に、更に、親の親オブジェクトと親の親の親オブジェクトとの間の相対座標を加算する。このような処理を、親オブジェクトが見つけられなくなるまで続ける。この場合の加算結果が、ピクチャの左上隅の頂点の絶対座標値である。
【００４１】
しかしながら、ピクチャが絶対座標属性を持つ場合、ブラウザは、ピクチャ内の、ピクチャコメントの位置点以外のいずれかの点を固定基準点として取り出すことができ、この場合には、選択された基準点を記録して当該点の絶対座標を直接的に取り出せばよい。したがって、本発明に記載の固定基準点は、ランダムに選択することができ、ブラウザがピクチャの絶対座標属性をサポートしない場合に限り、ピクチャのエッジ点を固定基準点として選択することが好ましい。
【００４２】
ステップＳ３０５、ブラウザは、ピクチャコメントの位置の絶対座標から固定基準点の絶対座標を減算して、ピクチャコメントの位置とピクチャ上の固定基準点との間の相対座標を得る。
【００４３】
ステップＳ３０６、ブラウザは、得られた相対座標を、ユーザより入力されたコメント内容やピクチャＩＤなどと一緒にｗｅｂサーバに伝送する。そして、これらの情報を用いて、ｈｔｍｌとｊａｖａｓｃｒｉｐｔの層技術を利用して、リアルタイムで動的に１つのコメント内容を含む情報層を形成し、当該情報層をピクチャ層に置いて、コメントの追加を実現する。これにより、ユーザは、直ちに直感的に自分のコメント効果を見ることができる。
【００４４】
当該ステップにおいて、ブラウザは、ｗｅｂサーバに情報を伝送するときに、ｗｅｂページの静止を維持するために、ＡＪＡＸページ技術により情報データを送信することが好ましい。
【００４５】
前記ピクチャがズームされたピクチャである場合、ｗｅｂサーバにアップロードされた相対座標をピクチャのズーム割合によって１：１に復元するが、新しい情報層を生成するために用いられる相対座標は、ブラウザが直接的に計算した相対座標である点に留意されたい。
【００４６】
ステップＳ３０７、ｗｅｂサーバは、相対座標、コメント内容及びピクチャＩＤをデータベースサーバに保存する。
【００４７】
上記のコメント追加方法を組み合わせて、以下、１つの具体的な例を与えて詳しく説明する。
【００４８】
例：あるネットワークユーザは、漫画ウェブサイトの漫画ブラウズページにおいて、漫画コメントの入力ボックスに例えば「２羽のカモメ」のようなコメント内容を書き込み、その後、コメントボタンをクリックし、マウスをピクチャ上に移動させる。この場合、マウスカーソルが十字星になると、クリックしてコメントを貼り付けることが可能となることを示す。この場合、ユーザがピクチャ上における２羽のカモメの位置でマウスの左ボタンをクリックすると、ページのｊａｖａｓｃｒｉｐｔマウスイベントがトリガされる。
【００４９】
ページｊａｖａｓｃｒｉｐｔコードで、ページ上でのマウスクリックイベントの絶対座標ＸとＹ（即ちピクチャコメントの位置の絶対座標）を取得し、そしてピクチャページ内の固定基準点の絶対座標を計算する。そして、ピクチャコメントの位置の絶対座標から固定基準点の絶対座標を減算し、ピクチャ固定基準点に対するピクチャコメントの位置の相対座標を得る。
【００５０】
ブラウザは、得られた相対座標を、ユーザＩＤ、コメント内容、ピクチャＩＤなどと一緒にｗｅｂサーバに伝送し、このとき、ＡＪＡＸページ技術によりデータを送信する。これによりページの静止が維持されて、ユーザ体験が向上する。同時に、ブラウザは、これらの情報を用いて、ｈｔｍｌとｊａｖａｓｃｒｉｐｔのページ階層化技術及び位置決め技術により、リアルタイムで動的に１つのコメント情報を含む新しい層を形成して、ピクチャに「貼付」する。これにより、ユーザは、直ちに直感的に自分のコメント効果を見ることができる。
【００５１】
実施形態２
図４に示すように、本実施形態に係るｗｅｂピクチャについてのコメント表示方法は、下記のステップを含む。
【００５２】
ステップＳ４０１、ユーザは、ブラウザのｗｅｂページに入り、そしてピクチャコメントの表示ボタンをクリックする。
【００５３】
ステップＳ４０２、ブラウザは、ユーザによりトリガされたときｗｅｂサーバにピクチャコメントの取得要求を送信する。
【００５４】
好ましくは、当該ステップにおいてブラウザは、ＡＪＡＸページ技術により要求を送信してページを動かないように維持させる。
【００５５】
ステップＳ４０３、ｗｅｂサーバは、ピクチャＩＤによってデータベースサーバからこのピクチャコメント、座標情報などを取得し、そしてユーザのブラウザページに伝送する。
【００５６】
ステップＳ４０４、ブラウザは、前記相対座標の固定基準点の絶対座標を計算する。
【００５７】
当該ステップにおいて、固定基準点がピクチャの左上隅の頂点である場合、その絶対座標の計算方法は、ステップＳ３０４と同じである。即ち、まずピクチャとその親オブジェクトとの間の相対座標を取り出し、次に、その相対座標に、親オブジェクトと親の親オブジェクト間の相対座標を加算し、更に、その相対座標に、親の親オブジェクトと親の親の親オブジェクト間の相対座標を加算する。このような処理を、親オブジェクトが見つけられなくなるまで続ける。この場合の加算結果が、ピクチャの左上隅の頂点の絶対座標値である。
【００５８】
ステップＳ４０５、ブラウザは、得られた固定基準点の絶対座標を、ｗｅｂサーバから伝送された相対座標に加算して、ｗｅｂページ内におけるコメント内容の絶対座標を得る。
【００５９】
当該ステップにおいて、ピクチャズーム機能が存在する場合には、コメントの相対座標を取得した後、加算を行う前に、ブラウザは、この場合のピクチャズーム率に応じてズームを行う必要がある。
【００６０】
ステップＳ４０６、ブラウザは、取得された、ページ内におけるコメント内容の絶対座標とコメント内容などの情報によって、ｈｔｍｌとｊａｖａｓｃｒｉｐｔのページ階層化技術と位置決め技術により、動的に１つのコメント内容を含む情報層を生成し、当該情報層をピクチャ層に置いてコメント表示を完了する。
【００６１】
ユーザが見やすいように、ページｊａｖａｓｃｒｉｐｔ技術により、コメントの時間順序で１つずつ所定の間隔で自動的にコメントを示すことができる。または、コメントが多すぎる場合、コメントが互いに重なり合うことによる視覚性への影響を排除するために、何回かに分けてコメントを示すことができる。コメント毎に１つの層があり、コメント層の優先順位は、ピクチャよりも高く、新しいコメント層の優先順位は、古いコメントよりも高いので、コメントが重なり合う場合、新しいコメント層は、古いコメント層を覆うことになる。
【００６２】
上記の実施形態１、２のｊａｖａｓｃｒｉｐｔ技術は、いずれもＶＢＳＣＲＩＰＴ技術に変更することができる。
【００６３】
上述したように、本発明に係るピクチャについてのコメントの追加、表示方法により、ピクチャについてのコメントが実現され、また、ページの静止が維持される場合、ピクチャのある局部に対して「貼付」式のコメントを行うことができる。さらに、合理的かつ便利な方式でコメントの表示と非表示を制御することができる。これは、写実的かつ臨場感に富み、興味深く、特に漫画製品についてのコメントに良い効果がある。これにより、インターネット製品に対するユーザの献身性を向上させることができる。
【００６４】
図５に示すように、本発明に係るブラウザは、具体的に、コメント追加モジュール５１０とコメント表示モジュール５２０を備える。
【００６５】
コメント追加モジュール５１０は、
ピクチャコメントの内容とピクチャコメントの位置情報を取得し、前記ピクチャコメントの位置とピクチャ内の固定基準点との間の相対座標を計算するように構成される情報取得モジュール５１１と、
前記相対座標、コメント内容及びピクチャＩＤが含まれるコメントパラメータをｗｅｂサーバにアップロードし、前記コメントパラメータを用いてコメント情報層を形成した後、コメントの情報層をピクチャ層に置くように構成されるコメント追加実現モジュール５１２とを含む。
【００６６】
ここで、前記情報取得モジュール５１１は、
ピクチャコメントの内容とピクチャコメントの位置情報を取得するように構成される第１のコメントパラメータ取得サブモジュールと、
前記固定基準点の絶対座標を計算し、前記ピクチャコメントの位置の絶対座標と固定基準点の絶対座標と間の差を計算し、前記ピクチャコメントの位置と固定基準点との間の相対座標を得るように構成される第２のコメントパラメータ取得サブモジュールとを含む。
【００６７】
ここで、固定基準点は、前記ピクチャの左上隅の頂点であり、固定基準点の絶対座標は、子オブジェクトとしての当該ピクチャから最外層の親オブジェクトまでの各層の相対座標の和である。
【００６８】
前記ピクチャがズームされたピクチャである場合、前記情報取得モジュール５１１は、ｗｅｂサーバにアップロードされた相対座標をピクチャのズーム割合によって１：１に復元する点に留意されたい。
【００６９】
前記コメント表示モジュール５２０は、
ｗｅｂサーバにピクチャコメントの表示要求を送信し、そして前記ｗｅｂサーバからフィードバックされた、相対座標とコメント内容が含まれるコメントパラメータを受信するように構成されるコメントパラメータ取得モジュール５２１と、
ｗｅｂページ内のピクチャコメントの位置の絶対座標を計算し、そして前記ピクチャコメントの位置の絶対座標とコメントパラメータに基づいてコメント情報層を形成した後、コメント情報層をｗｅｂページ内のピクチャ層に置いてコメントの表示を実現するように構成されるコメント表示実現モジュール５２２とを含む。
【００７０】
ここで、前記コメント表示実現モジュール５２２がｗｅｂページ内のピクチャコメントの位置の絶対座標を計算することは、具体的に、前記相対座標の固定基準点のｗｅｂページでの絶対座標を計算し、当該絶対座標と相対座標を加算してｗｅｂページ内のピクチャコメントの位置の絶対座標を得ることを含む。
【００７１】
ここで、相対座標での固定基準点は、前記ピクチャの左上隅の頂点であり、前記固定基準点の絶対座標は、子オブジェクトとしての当該ピクチャから最外層の親オブジェクトまでの各層の相対座標の和である。
【００７２】
更に、コメントパラメータ取得モジュール５２１がｗｅｂサーバにピクチャコメントの表示要求を送信するトリガ条件は、ｗｅｂページに入るときにブラウザが能動的にトリガすることまたはｗｅｂページに入った後にユーザよりトリガされることを含む。
【００７３】
コメント表示実現モジュール５２２がコメント情報を表示する方式は、コメントの時間順序で表示する方式、設定されたコメント情報の数で表示する方式及び優先順位で表示する方式のうちの１つを含む。
【００７４】
前記ピクチャがズームされたピクチャである場合、前記コメントパラメータ取得モジュール５２１は、前記相対座標を受信した後、前記相対座標をピクチャのズーム割合によってズーム処理する点に留意されたい。
【００７５】
明らかなように、当業者は、本発明の精神及び範囲を逸脱しない範囲で本発明に対して様々な変更と変形を行うことができる。従って、本発明のこれらの変更と変形が、本発明の特許請求の範囲及びそれと同等の技術範囲内に属する場合、本発明は、これらの変更と変形を含むことを意図している。
【図１】
0005841176.tif 000002
【図２】
0005841176.tif 000003
【図３】
0005841176.tif 000004
【図４】
0005841176.tif 000005
【図５】
0005841176.tif 000006